(57)【要約】【課題】位置決め突起と位置決め穴の成形誤差等による位置ずれの影響を抑え、位置決め突起と位置決め穴の嵌合を確実に行うことが可能な遊技機の提供を目的とする。【解決手段】ベース部材６１には板状部材取付面に第１位置決め突起６５と第２位置決め突起６７を設け、板状部材７１には第１位置決め穴７５と第２位置決め穴７７を形成し、第１位置決め突起の突出方向と垂直に交わる平面における第１軸方向Ｌ１に沿う第１位置決め穴と第１位置決め突起との第１遊び間隔ｄ１と、第１軸方向と垂直に交わる第２軸方向Ｌ２に沿う第１位置決め穴と第１位置決め突起との第２遊び間隔ｄ２を、ｄ２＞ｄ１≧０に設定し、第１軸方向Ｌ１に沿う第２位置決め穴と第２位置決め突起との第３遊び間隔ｄ３と、第２軸方向に沿う第２位置決め穴と第２位置決め突起との第４遊び間隔ｄ４を、ｄ３＞ｄ４≧０にし、かつｄ３＞ｄ１≧０、ｄ２＞ｄ４≧０にした。【選択図】      図６
2007007000.tif 000002
【特許請求の範囲】
【請求項１】
ベース部材と、前記ベース部材に取り付けられる板状部材とよりなる遊技機構成部品を備えた遊技機において、
前記ベース部材には板状部材取付面に第１位置決め突起と第２位置決め突起が設けられ、
前記板状部材には前記第１位置決め突起の嵌合可能な第１位置決め穴と前記第２位置決め突起の嵌合可能な第２位置決め穴が、前記ベース部材への前記板状部材の取付時における位置決め用に形成され、
前記第１位置決め突起の突出方向と垂直に交わる平面における第１軸方向に沿う前記第１位置決め穴の寸法ａ１と前記第１位置決め突起の寸法ｂ１との差［ａ１−ｂ１］からなる第１遊び間隔ｄ１と、前記第１位置決め突起の突出方向と垂直に交わる前記平面において前記第１軸方向と垂直に交わる第２軸方向に沿う前記第１位置決め穴の寸法ａ２と前記第１位置決め突起の寸法ｂ２との差［ａ２−ｂ２］からなる第２遊び間隔ｄ２に関し、ｄ２＞ｄ１≧０に設定され、
前記第１軸方向に沿う前記第２位置決め穴の寸法ａ３と前記第２位置決め突起の寸法ｂ３との差［ａ３−ｂ３］からなる第３遊び間隔ｄ３と、前記第２軸方向に沿う前記第２位置決め穴の寸法ａ４と前記第２位置決め突起の寸法ｂ４との差［ａ４―ｂ４］からなる第４遊び間隔ｄ４に関し、ｄ３＞ｄ４≧０に設定され、
かつｄ３＞ｄ１≧０、ｄ２＞ｄ４≧０に設定されていることを特徴とする遊技機。
【請求項２】
前記第１位置決め穴及び前記第２位置決め穴は、それぞれ一組の対向する第１円弧形状部と、前記第１円弧形状部間に形成された一組の対向する第２円弧形状部あるいは直線形状部とで内周が構成されると共に、前記第２円弧形状部が前記第１円弧形状部よりも大の半径とされ、
前記寸法ａ１及びａ４が、前記対向する第２円弧形状部間あるいは直線形状部間の寸法とされると共に、前記寸法ａ２及びａ３が、前記対向する第１円弧形状部間の寸法であることを特徴とする請求項１に記載の遊技機。
【請求項３】
前記第１位置決め穴と前記第２位置決め穴は略楕円形からなると共に、前記第１位置決め穴の短軸及び前記第２位置決め穴の長軸が前記第１軸方向に沿い、前記第１位置決め穴の長軸及び前記第２位置決め穴の短軸が前記第２軸方向に沿うことを特徴とする請求項１または２に記載の遊技機。
【請求項４】
前記板状部材は、前記第１位置決め突起と前記第１位置決め穴の嵌合及び前記第２位置決め突起と前記第２位置決め穴の嵌合による位置決め後、固定部材で前記ベース部材に固定されることを特徴とする請求項１から３の何れか一項に記載の遊技機。
【請求項５】
前記遊技機は、前面に遊技領域の形成された遊技盤を備え、
前記ベース部材には、前記板状部材で覆われる位置に、前面に表示領域を有する液晶表示装置が取り付けられて、前記液晶表示装置の表示領域が前記遊技盤の遊技領域に位置するように前記ベース部材が前記遊技盤に固定され、
前記板状部材は、前記液晶表示装置の表示領域を視認可能な透明あるいは半透明部材で構成され、前記表示領域の前面を覆うようにして前記ベース部材の板状部材取付面に位置決めされて取り付けられていることを特徴とする請求項１から４の何れか一項に記載の遊技機。
【発明の詳細な説明】
【技術分野】
【０００１】
本発明は、ベース部材に板状部材が位置決めされて取り付けられる遊技機構成部品を有する遊技機に関する。
【背景技術】
【０００２】
従来、遊技盤等への遊技部品の取り付けに際し、予め遊技部品に位置決め突起（ボス）を設けると共に遊技盤等に位置決め穴（嵌合穴）を設け、位置決め突起と位置決め穴の嵌合により遊技部品の位置決めが行われている。
【０００３】
また、例えば平板のように剛性の低い遊技部品を遊技盤等に位置決め突起と位置決め穴の嵌合により位置決めを行う場合、位置決め突起と位置決め穴を複数箇所に設けないと遊技部品の反り等によって確実な位置決めが困難となる。
【０００４】
しかしながら、位置決め突起と位置決め穴の数が多くなると、成形誤差等によって位置決め突起と位置決め穴における位置ずれ等の影響が大きくなって、位置決め突起と位置決め穴の嵌合がし難くなるなどの不具合を生じ易かった。
【０００５】
【特許文献１】特開平１１−２９９９７５号公報
【発明の開示】
【発明が解決しようとする課題】
【０００６】
本発明は、前記の点に鑑みなされたものであって、ベース部材と板状部材における成形誤差等による位置決め突起と位置決め穴の位置ずれの影響を抑え、位置決め突起と位置決め穴の嵌合を確実に行うことが可能な遊技機の提供を目的とする。
【課題を解決するための手段】
【０００７】
請求項１の発明は、ベース部材と、前記ベース部材に取り付けられる板状部材とよりなる遊技機構成部品を備えた遊技機において、前記ベース部材には板状部材取付面に第１位置決め突起と第２位置決め突起が設けられ、前記板状部材には前記第１位置決め突起の嵌合可能な第１位置決め穴と前記第２位置決め突起の嵌合可能な第２位置決め穴が、前記ベース部材への前記板状部材の取付時における位置決め用に形成され、前記第１位置決め突起の突出方向と垂直に交わる平面における第１軸方向に沿う前記第１位置決め穴の寸法ａ１と前記第１位置決め突起の寸法ｂ１との差［ａ１−ｂ１］からなる第１遊び間隔ｄ１と、前記第１位置決め突起の突出方向と垂直に交わる前記平面において前記第１軸方向と垂直に交わる第２軸方向に沿う前記第１位置決め穴の寸法ａ２と前記第１位置決め突起の寸法ｂ２との差［ａ２−ｂ２］からなる第２遊び間隔ｄ２に関し、ｄ２＞ｄ１≧０に設定され、前記第１軸方向に沿う前記第２位置決め穴の寸法ａ３と前記第２位置決め突起の寸法ｂ３との差［ａ３−ｂ３］からなる第３遊び間隔ｄ３と、前記第２軸方向に沿う前記第２位置決め穴の寸法ａ４と前記第２位置決め突起の寸法ｂ４との差［ａ４―ｂ４］からなる第４遊び間隔ｄ４に関し、ｄ３＞ｄ４≧０に設定され、かつｄ３＞ｄ１≧０、ｄ２＞ｄ４≧０に設定されていることを特徴とする。
【０００８】
請求項２の発明は、請求項１において、前記第１位置決め穴及び前記第２位置決め穴は、それぞれ一組の対向する第１円弧形状部と、前記第１円弧形状部間に形成された一組の対向する第２円弧形状部あるいは直線形状部とで内周が構成されると共に、前記第２円弧形状部が前記第１円弧形状部よりも大の半径とされ、前記寸法ａ１及びａ４が、前記対向する第２円弧形状部間あるいは直線形状部間の寸法とされると共に、前記寸法ａ２及びａ３が、前記対向する第１円弧形状部間の寸法であることを特徴とする。
【０００９】
請求項３の発明は、請求項１または２において、前記第１位置決め穴と前記第２位置決め穴は略楕円形からなると共に、前記第１位置決め穴の短軸及び前記第２位置決め穴の長軸が前記第１軸方向に沿い、前記第１位置決め穴の長軸及び前記第２位置決め穴の短軸が前記第２軸方向に沿うことを特徴とする。
【００１０】
請求項４の発明は、請求項１から３の何れか一項において、前記板状部材は、前記第１位置決め突起と前記第１位置決め穴の嵌合及び前記第２位置決め突起と前記第２位置決め穴の嵌合による位置決め後、固定部材で前記ベース部材に固定されることを特徴とする。
【００１１】
請求項５の発明は、請求項１から４の何れか一項において、前記遊技機は、前面に遊技領域の形成された遊技盤を備え、前記ベース部材には、前記板状部材で覆われる位置に、前面に表示領域を有する液晶表示装置が取り付けられて、前記液晶表示装置の表示領域が前記遊技盤の遊技領域に位置するように前記ベース部材が前記遊技盤に固定され、前記板状部材は、前記液晶表示装置の表示領域を視認可能な透明あるいは半透明部材で構成され、前記表示領域の前面を覆うようにして前記ベース部材の板状部材取付面に位置決めされて取り付けられていることを特徴とする。
【発明の効果】
【００１２】
請求項１の発明によれば、第１位置決め突起の突出方向と垂直に交わる平面における第１軸方向に沿う第１位置決め穴の寸法ａ１と第１位置決め突起の寸法ｂ１との差［ａ１−ｂ１］からなる第１遊び間隔ｄ１と、第１位置決め突起の突出方向と垂直に交わる前記平面において前記第１軸方向と垂直に交わる第２軸方向に沿う第１位置決め穴の寸法ａ２と第１位置決め突起の寸法ｂ２との差［ａ２−ｂ２］からなる第２遊び間隔ｄ２に関し、ｄ２＞ｄ１≧０に設定され、前記第１軸方向に沿う第２位置決め穴の寸法ａ３と第２位置決め突起の寸法ｂ３との差［ａ３−ｂ３］からなる第３遊び間隔ｄ３と、前記第２軸方向に沿う第２位置決め穴の寸法ａ４と第２位置決め突起の寸法ｂ４との差［ａ４―ｂ４］からなる第４遊び間隔ｄ４に関し、ｄ３＞ｄ４≧０に設定され、かつｄ３＞ｄ１≧０、ｄ２＞ｄ４≧０に設定されている構成としたことにより、第１軸方向における位置決め突起と位置決め穴に関する成形誤差等による位置ずれと、第１軸方向と垂直な第２軸方向における位置決め突起と位置決め穴に関する成形誤差等による位置ずれの影響を抑え、位置決め突起と位置決め穴の嵌合がし易くなると共に位置決めを確実に行うことが可能になる。
【００１３】
請求項２の発明によれば、円弧の半径が異なるものあるいは円弧と直線を組み合わせることにより、位置決め突起と位置決め穴の嵌合で板状部材が回転しづらくなり、板状部材の位置決めが容易になる。
【００１４】
請求項３の発明によれば、第１位置決め穴と第２位置決め穴が略楕円形からなると共に、第１位置決め穴の短軸及び第２位置決め穴の長軸が第１軸方向に沿い、第１位置決め穴の長軸及び第２位置決め穴の短軸が前記第２軸方向に沿っている構成としたことにより、第１位置決め穴と第２位置決め穴における嵌合に際し、同一の軸方向に関して一方の位置決め穴で位置決め突起と位置決め穴の位置ずれを吸収し、他方の位置決め穴で位置決めを行うことが可能となる。
【００１５】
請求項４の発明によれば、板状部材は、第１位置決め突起と第１位置決め穴の嵌合及び第２位置決め突起と第２位置決め穴の嵌合による位置決め後、固定部材でベース部材に固定される構成としたことにより、より強固に板状部材をベース部材に固定することができる。
【００１６】
請求項５の発明によれば、遊技機は、前面に遊技領域の形成された遊技盤を備え、ベース部材には、板状部材で覆われる位置に、前面に表示領域を有する液晶表示装置が取り付けられて、液晶表示装置の表示領域が遊技盤の遊技領域に位置するようにベース部材が遊技盤に固定され、板状部材は、液晶表示装置の表示領域を視認可能な透明あるいは半透明部材で構成され、表示領域の前面を覆うようにしてベース部材の板状部材取付面に位置決めされて取り付けられている構成としたことにより、液晶表示装置の表示領域を正しく板状部材で覆って表示領域を保護することが可能となる。
【発明を実施するための最良の形態】
【００１７】
以下添付の図面に基づき本発明の好適な実施形態を説明する。図１は本発明の一実施例に係る遊技機について遊技盤の釘を省略して示す正面図、図２は同遊技機の裏面図、図３は同遊技機の分解斜視図、図４は同遊技機のセンター役物の斜視図、図５は同遊技機のセンター役物の分解斜視図、図６は同遊技機のセンター役物における板状部材とベース部材の位置決め穴と位置決め突起の寸法関係を示す図、図７は同遊技機のセンター役物におけるベース部材に板状部材を取り付けた状態の正面図である
【００１８】
図１に示す本実施例の遊技機１は、遊技媒体として遊技球を用いるパチンコ遊技機であり、図３にも示すように、側枠Ｆ１の前面側に前面枠Ｆ２が開閉可能に軸着され、前記前面枠Ｆ２には略中央に形成された窓Ｆ２１に遊技盤３が取り付けられると共に、前記前面枠Ｆ２の背面側に機構板Ｆ３が設けられている。また、前面枠Ｆ２の前面は、図１に示すようにガラス枠Ｇが開閉可能に設けられている。
【００１９】
前記遊技盤３は、前面の縁に遊技球の外側ガイドレール４及び内側ガイドレール５が略円形に立設され、前記内側ガイドレール５によって囲まれた遊技領域６を有する。前記遊技領域６には。その中心線上に上部から下部に向かって順に表示装置９、始動入賞口１０、特別電動役物である大入賞口１５、アウト口１７が配設され、また前記表示装置９の左側には普通図柄変動開始用ゲート１９が配設され、一方、前記始動動入賞口１０の左右には左袖入賞口２３と右袖入賞口２５、さらには前記大入賞口１５の両側に左落とし入賞口２７と右落とし入賞口２９が配設されている。前記表示装置９は、遊技に関する情報、例えば所定の遊技状態となったことを知らせるための情報や、遊技の演出性を高めるための情報、遊技の当否判定結果を示す判定図柄等を視覚的な表示情報として表示可能な表示領域９ａを有するものであって、前記表示情報を構成する文字又は図柄の少なくとも何れかを変動表示可能な液晶，ドットマトリックス若しくはＬＥＤ表示装置等の表示装置からなる。この実施例の表示装置９は、液晶表示装置（ＴＦＴ−ＬＣＤモジュール）で構成され、前記表示領域９ａにおける左下部に普通図柄表示部４５が組み込まれ、前記表示領域９ａにおけるその他の大部分が特別図柄表示部４２となっている。
【００２０】
さらに、前記表示装置９の周囲及び前面を覆うようにセンター役物６０が配設されている。本実施例のセンター役物６０は、本発明における遊技機構成部品に相当し、図４及び図５に示すように遊技盤３の遊技領域６に形成された表示装置用開口部（図示せず）に背面側から固定されるベース部材６１と、前記ベース部材６１の前面側に取り付けられる板状部材７１とからなり、前記板状部材７１の前面周縁は飾り部材８１で覆われる。
【００２１】
前記ベース部材６１は、中央に窓６２が形成され、前記窓６２の周縁前面に板状部材取付面６３が形成された枠形状からなる。前記ベース部材６１の窓６２には、前記表示装置９（液晶表示装置）が取り付けられ、前記ベース部材６１が前記遊技盤３の遊技領域６における表示装置用開口部にネジ部品等で固定されることにより、前記表示装置９（液晶表示装置）の表示領域９ａが前記遊技盤３の遊技領域６に位置するようにされる。つまり、ベース部材と板状部材からなる遊技機構成部品がベース部材を介して遊技盤の所定位置に固定される。前記ベース部材６１の板状部材取付面６３には、前記窓６２の下方に第１位置決め突起６５と第２位置決め突起６７が、左右方向に所要距離離して突設されている。なお、本実施例の第１位置決め突起６５及び第２位置決め突起６７は筒形状からなっている。符号６８は板状部材固定用穴、６９は前記遊技盤３へのベース部材固定用孔である。
【００２２】
前記板状部材７１は、前記窓６２の外周より大形からなる透明あるいは半透明部材（例えば透明または半透明のプラスチック板）で構成されている。前記板状部材７１は、前記ベース部材６１の板状部材取付面６３に取り付けられて前記表示装置９（液晶表示装置）の表示領域９ａにおける前面を覆うと共に前記表示領域９ａを遊技者により視認可能とする。前記板状部材７１は、表面積の大部分が表示領域を覆って遊技者が表示領域を視認可能なように使用されており、表示領域と重なる位置には位置決めや取り付け用の穴等を設けるのが難しい構成となっている。本実施例の板状部材７１は、厚み２ｍｍの透明プラスチック板からなり、リブ等の無い平板からなる。
【００２３】
前記板状部材７１の下部には、前記第１位置決め突起６５の嵌合可能な第１位置決め穴７５が前記第１位置突起６５と対応する位置に、また、前記第２位置決め突起６７の嵌合可能な第２位置決め穴７７が前記第２位置突起６７と対応する位置に、前記ベース部材６１への板状部材７１の取付時における位置決め用としてそれぞれ形成されている。
【００２４】
前記第１位置決め突起６５と前記第１位置決め穴７５の寸法関係及び前記第２位置決め突起６７と前記第２位置決め穴７７の寸法関係は次のとおりである。すなわち、図６に示すように、前記第１位置決め突起６５の突出方向と垂直に交わる平面（前記第１位置決め突起６５と前記第１位置決め穴７５の嵌合状態における前記板状部材７１と平行な平面）において、第１軸方向Ｌ１（本実施例では左右方向）に沿う前記第１位置決め穴７５の寸法（内径寸法）ａ１と前記第１位置決め突起６５の寸法（外径寸法）ｂ１との差［ａ１−ｂ１］からなる第１遊び間隔ｄ１と、前記第１位置決め突起６５の突出方向と垂直に交わる前記平面において前記第１軸方向Ｌ１と垂直に交わる第２軸方向Ｌ２（本実施例では上下方向）に沿う前記第１位置決め穴７５の寸法ａ２と前記第１位置決め突起６５の寸法ｂ２との差［ａ２−ｂ２］からなる第２遊び間隔ｄ２に関し、ｄ２＞ｄ１≧０に設定され、また、前記第１軸方向Ｌ１に沿う前記第２位置決め穴７７の寸法（内径寸法）ａ３と前記第２位置決め突起６７の寸法（外径寸法）ｂ３との差［ａ３−ｂ３］からなる第３遊び間隔ｄ３と、前記第２軸方向Ｌ２に沿う前記第２位置決め穴７７の寸法ａ４と前記第２位置決め突起６７の寸法ｂ４との差［ａ４―ｂ４］からなる第４遊び間隔ｄ４に関し、ｄ３＞ｄ４≧０に設定され、かつｄ３＞ｄ１≧０、ｄ２＞ｄ４≧０に設定されている。なお、本実施例では、ｄ２とｄ３が１ｍｍ、ｄ１とｄ４が０．２ｍｍに設定されている。
【００２５】
前記第１位置決め突起６５、前記第１位置決め穴７５、前記第２位置決め突起６７及び前記第２位置決め穴７７の寸法を前記のように設定したことにより、前記ベース部材６１及び前記板状部材７１の成形誤差等に起因する前記第１位置決め突起６５、前記第２位置決め突起６７、前記第１位置決め穴７５、前記第２位置決め穴７７の位置ずれを吸収して、前記第１位置決め突起６５と前記第１位置決め穴７５の嵌合及び前記第２位置決め突起６７と前記第２位置決め穴７７の嵌合を可能にすると共に、前記嵌合によって前記板状部材７１を前記ベース部材６１に対して正しく位置決めすることができるようになる。具体的には、前記第１軸方向Ｌ１（左右方向）については、前記位置決め突起及び位置決め穴に関する成形誤差等により位置ずれを、前記第２位置決め穴７７の寸法ａ３と前記第２位置決め突起６７の寸法ｂ３の差からなる第３遊び間隔ｄ３によって吸収すると共に、前記位置決め突起及び位置決め穴の嵌合による位置決めを、前記第１位置決め穴７５の寸法ａ１と前記第１位置決め突起６５の寸法ｂ１の差からなる第１遊び間隔ｄ１によって行っている。一方、前記第２軸方向Ｌ２（上下方向）については、前記位置決め突起及び位置決め穴に関する成形誤差等による位置ずれを、前記第１位置決め穴７５の寸法ａ２と前記第１位置決め突起６５の寸法ｂ２の差からなる第２遊び間隔ｄ２によって吸収すると共に、前記位置決め突起及び位置決め穴の嵌合による位置決めを、前記第２位置決め穴７７の寸法ａ４と前記第１位置決め突起６７の寸法ｂ４の差からなる第４遊び間隔ｄ４によって行っている。なお、前記ｄ１〜ｄ４の具体的数値は、適宜決定されるが、通常１０ｍｍ以下の範囲で、前記ベース部材６１及び前記板状部材７１における材質の相違及び成形方法等によって相違する収縮等に起因する成形誤差等を考慮して所要の値に設定される。
【００２６】
前記第１位置決め穴７５及び前記第２位置決め穴７７は、それぞれ一組の対向する第１円弧形状部７５ａ，７５ａ，７７ａ，７７ａと、前記第１円弧形状部７５ａ，７５ａ間、７７ａ，７７ａ間に形成された第２円弧形状部あるいは直線形状部からなる大径形状部７５ｂ，７５ｂ，７７ｂ，７７ｂで構成されている。前記大径形状部７５ｂ，７７ｂを構成する第２円弧形状部は、前記第１円弧形状部７５ａ、７７ａより半径が大とされている。本実施例では前記大径形状部７５ｂ、７７ｂは第２円弧形状部で構成されている。また、前記寸法ａ１及びａ４が、前記対向する第２円弧形状部間あるいは前記直線状部間（すなわち前記大径形状部７５ｂ，７５ｂ間あるいは７７ｂ，７７ｂ間）の寸法とされると共に、前記寸法ａ２及びａ３が、前記対向する第１円弧形状部７５ａ，７５ａ間、７７ａ，７７ａ間の寸法とされている。
【００２７】
さらに、本実施例では、前記第１位置決め穴７５と前記第２位置決め穴７７は、それぞれ略楕円形からなると共に、前記第１位置決め穴７５の短軸（短径方向）及び前記第２位置決め穴７７の長軸（長径方向）が前記第１軸方向Ｌ１（本実施例では左右方向）に沿い、前記第１位置決め穴７５の長軸（長径方向）及び前記第２位置決め穴７７の短軸（短径方向）が前記第２軸方向Ｌ２（本実施例では上下方向）に沿っている。本実施例では、前記第１位置決め穴７５と前記第２位置決め穴７７は、略同一形状の楕円とされ、一方の位置決め穴に対して他方の位置決め穴が９０度回転した状態で形成されている。なお、本実施例では、前記第１位置決め突起６５の外周は、前記第１位置決め穴７５より小さな略楕円形からなり、また、前記第２位置決め突起６７の外周は、前記第２位置決め穴７７より小さな略楕円形からなる。さらに前記第１位置決め突起６５と前記第１位置決め穴７５の短軸同士及び長軸同士はそれぞれ同一方向（短軸は第１軸方向Ｌ１、長軸は第２軸方向Ｌ２）とされ、同様に前記第２位置決め突起６７及び前記第２位置決め穴７７の短軸同士及び長軸同士はそれぞれ同一方向（短軸は第２軸方向Ｌ２、長軸は第１軸方向Ｌ１）とされている。
【００２８】
前記板状部材７１は、前記ベース部材６１の板状部材取付面６３に、図７に示すように、前記第１位置決め突起６５と前記第１位置決め穴７５の嵌合及び前記第２位置決め突起６７と前記第２位置決め穴７７の嵌合により位置決めされ、その後に固定部材でベース部材６１に固定される。本実施例では、図５に示すように、前記板状部材７１の周縁に固定用穴７２が形成され、前記固定用穴７２を介して前記ベース部材６１の板状部材固定用穴６８に、固定部材としてのネジ部材（図７において符号７４で示す）によって前記板状部材７１が固定される。
【００２９】
また、前記前面枠Ｆ２の前面側には、枠飾り右ランプ３５ａ、枠飾り左ランプ３５ｂからなるランプ装置、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３等がそれぞれ組み付けられている。符号５４は操作レバーである。さらに、符号５５は、本実施例の遊技機１に接続されるプリペイドカードニットである。
【００３０】
遊技を制御するための複数の制御基板や装置等は、前記機構板Ｆ３の裏側に設けられている。前記各制御基板には制御回路が設けられている。制御基板は、個別にあるいは複数まとめて基板収容ケースに収容されている。図２は遊技機１の裏面図であり、制御基板及び装置の主なものを示す。図２においては、基板収容ケースの一部を外して示している。符号２００はＣＰＵを有する主制御基板、２１０はＣＰＵを有する表示制御基板、２２０は払出制御基板、２３０は電源基板２３０である。なお、表示制御基板２１０は前記ベース部材６１の裏側に配設される。また、前記主制御基板２００で隠れている位置にはランプ制御基板、音声制御基板が配置されている。符号２５１は遊技機設置島から流れてくる遊技球を受け取って一旦溜めるためのタンク、符号２５３は前記タンク２５１から払出装置２５５へ遊技球を流下させるタンクレール、符号２５６はカードインターフェィス接続部である。
【００３１】
ここで、前記遊技機１における遊技について簡単に説明する。前記遊技機１においては、前記遊技領域６へ向けて前記発射装置５３により発射された遊技球が、前記種々の入賞口に入賞すると入賞口に応じた所定数の遊技球が賞球として上側球受け皿３６に払い出される。また、前記普通図柄変動開始用ゲート１９を遊技球が通過すると、主制御基板２００の主制御回路において小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３２】
また、前記始動入賞口１０に遊技球が入賞すると、前記主制御回路において大当たり当否判定用乱数値及び大当たり確定特別図柄の組合せ決定用乱数値が取得され、前記取得された大当たり当否判定用乱数値に基づいて大当たりの当否判定が行われ、前記表示装置９の特別図柄表示部４２で特別図柄が変動を開始し、所定時間変動後に停止する。
【００３３】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３４】
以上説明したように、本実施例の遊技機１は、ベース部材６１に第１位置決め突起６５と第２位置決め突起６７が突出して設けられ、前記ベース部材６１に取り付けられる板状部材７１には、前記第１位置決め突起６５の嵌合可能な第１位置決め穴７５と前記第２位置決め突起６７の嵌合可能な第２位置決め穴７７が、前記ベース部材６１への前記板状部材７１の取付時における位置決め用に形成され、前記第１位置決め突起６５と第２位置決め突起６７における寸法を前記のように設定したことにより、前記第１位置決め突起６５の突出方向と垂直に交わる平面における第１軸方向Ｌ１については、前記位置決め突起及び位置決め穴に関する成形誤差等による位置ずれを、前記第２位置決め穴７７の寸法ａ３と前記第２位置決め突起６７の寸法ｂ３の差からなる第３遊び間隔ｄ３によって吸収すると共に、前記位置決め突起及び位置決め穴の嵌合による位置決めを、前記第１位置決め穴７５の寸法ａ１と前記第１位置決め突起６５の寸法ｂ１の差からなる第１遊び間隔ｄ１によって行ない、一方、前記第２軸方向Ｌ２については、前記位置決め突起及び位置決め穴に関する成形誤差等による位置ずれを、前記第１位置決め穴７５の寸法ａ２と前記第１位置決め突起６５の寸法ｂ２の差からなる第２遊び間隔ｄ２によって吸収すると共に、前記位置決め突起及び位置決め穴の嵌合による位置決めを、前記第２位置決め穴７７の寸法ａ４と前記第１位置決め突起６７の寸法ｂ４の差からなる第４遊び間隔ｄ４によって行なうことができ、成形誤差等による位置決め突起と位置決め穴のずれに影響されることなく、板状部材７１をベース部材６１に位置決めして固定することが可能にできたのである。
【００３５】
なお、本発明は実施例に限定されず、発明の趣旨を逸脱しない範囲で変更可能である。例えば、本実施例では、第１位置決め突起と第２位置決め突起及び第１位置決め穴と第２位置決め穴を、それぞれ遊技機の左右方向に設けたが、それに限らず、上下方向や斜め方向に設けてもよい。また、本実施例ではベース部材と板状部材の下部に第１位置決め突起と第２位置決め突起及び第１位置決め穴と第２位置決め穴を設けたが、それに限らず、ベース部材と板状部材の上部や中央に設けてもよい。さらに、本実施例では、ベース部材と板状部材からなる遊技機構成部品は液晶表示装置が設けられるセンター役物からなるが、それに限らず、他の遊技機構成部品であってもよい。さらに、本実施例では、第１及び第２位置決め穴と第１及び第２位置決め突起は略楕円形状からなるが、それに限られるものではなく、他の形状であってもよい。また、遊技機はパチンコ遊技機に限らず、スロット等、他の遊技機であってもよい。
【図面の簡単な説明】
【００３６】
【図１】本発明の一実施例に係る遊技機について遊技盤の釘を省略して示す正面図である。
【図２】同遊技機の裏面図である。
【図３】同遊技機の分解斜視図である。
【図４】同遊技機のセンター役物の斜視図である。
【図５】同遊技機のセンター役物の分解斜視図である。
【図６】同遊技機のセンター役物における板状部材とベース部材の位置決め穴と位置決め突起の寸法関係を示す図である。
【図７】同遊技機のセンター役物におけるベース部材に板状部材を取り付けた状態の正面図である。
【符号の説明】
【００３７】
１  遊技機
３  遊技盤
９  表示装置（液晶表示装置）
６１  ベース部材
６３  板状部材取付面
６５  第１位置決め突起
６７  第２位置決め突起
７１  板状部材
７５  第１位置決め穴
７５ａ，７７ａ  第１円弧形状部
７５ｂ，７７ｂ  大径形状部（第２円弧形状部あるいは直線形状部）
７７  第２位置決め穴
【図１】
2007007000.tif 000003
【図２】
2007007000.tif 000004
【図３】
2007007000.tif 000005
【図４】
2007007000.tif 000006
【図５】
2007007000.tif 000007
【図６】
2007007000.tif 000008
【図７】
2007007000.tif 000009